(57)【要約】【課題】ガス電磁弁を開弁状態に維持するための直流電流の通電量を減らして省電力を実現するとともに、制御部による直流電流の通電の終了後に開弁状態が維持されてしまうことを防止する。【解決手段】燃焼開始指令に基づいてガス電磁弁のコイルに所定の極性で所定電流値の直流電流を通電することで、スプリングの閉じ付勢力に打ち勝ってガス電磁弁の開弁を維持し、燃焼停止指令に基づいてガス電磁弁のコイルへの直流電流の通電を遮断することで、ガス電磁弁がスプリングの閉じ付勢力によって閉弁するように構成され、かつ、ガス電磁弁のコイルに直流電流を通電することによりガス電磁弁の開弁が維持されている状態において、燃焼停止指令が発令されたとき、運転制御部が、所定の極性とは逆の極性で所定電流値より絶対値が小さい遮断前電流をガス電磁弁のコイルに通電した後に、通電を遮断する。【選択図】図５
2019113228.tif 000002
【特許請求の範囲】
【請求項１】
被調理物を加熱するガスバーナと、
前記ガスバーナの燃焼開始指令および燃焼停止指令を発令する点消火指令部と、
前記ガスバーナの燃焼を制御する運転制御部と、
前記ガスバーナに供給される燃料ガスの通流と遮断とを制御するガス電磁弁と備え、
前記運転制御部が、前記燃焼開始指令に基づいて前記ガスバーナの燃焼を開始し、かつ、前記燃焼停止指令に基づいて前記ガスバーナの燃焼を停止させる燃焼制御を実行するように構成されたガス調理器における前記ガス電磁弁の駆動方法であって、
前記ガス電磁弁が、該ガス電磁弁を閉じる方向に付勢するスプリングと、磁性体と、前記磁性体に巻回されたコイルとを備える電磁弁駆動機構であって、該ガス電磁弁の開弁状態を維持し、または、開弁状態にある該ガス電磁弁の閉弁を許容する電磁弁駆動機構を具備し、
前記燃焼開始指令に基づいて、前記運転制御部が前記コイルに所定の極性で所定電流値の直流電流を通電することにより、前記スプリングの前記ガス電磁弁を閉じる方向への付勢力に打ち勝って前記ガス電磁弁の開弁を維持し、
前記燃焼停止指令に基づいて、前記運転制御部が前記コイルへの前記直流電流の通電を遮断することにより、前記ガス電磁弁を閉じる方向への前記スプリングの付勢力によって前記ガス電磁弁が閉弁するように構成されているとともに、
前記コイルに前記直流電流を通電することにより前記ガス電磁弁の開弁が維持されている状態において、前記燃焼停止指令が発令されたとき、前記運転制御部が、前記所定の極性とは逆の極性で前記所定電流値より絶対値が小さい遮断前電流を前記コイルに通電した後に、通電を遮断するように構成されていること
を特徴とするガス電磁弁の駆動方法。
【請求項２】
前記遮断前電流の絶対値が、前記ガス電磁弁の開弁を維持するために通電していた前記所定電流値の直流電流による磁気ヒステリシスに起因して生じた前記磁性体における残留磁束を消磁するための保磁力に相当する電流値の絶対値であることを特徴とする請求項１記載のガス電磁弁の駆動方法。
【発明の詳細な説明】
【技術分野】
【０００１】
本発明は、ガス電磁弁の駆動方法に関し、詳しくは、ガスコンロなどのガス器機を構成するガスバーナへの燃料ガス流路に配設され、燃料ガスの通流と遮断を制御するガス電磁弁の駆動方法に関する。
【背景技術】
【０００２】
ガス器機には、ガスバーナを備え、ガスバーナの燃焼の開始と停止を行うガス電磁弁を、制御部が適正に制御するように構成された、例えばガスコンロなどのガス器機があり、広く用いられている。
【０００３】
そして、そのようなガス器機として、特許文献１には、制御部がガス電磁弁（電磁安全弁）２２への通電を開始することにより、ガス電磁弁２２の開弁が電磁的に維持され、制御部がガス電磁弁２２への通電が停止することにより、ガス電磁弁２２の開弁の電磁的な維持が終了するように構成されたガス機器（ガスコンロ）が開示されている。
【０００４】
ところで、ガス電磁弁は、一般的に、当該ガス電磁弁を閉じ付勢するスプリングと、ガス電磁弁を駆動するための駆動機構であって、磁性体および磁性体に巻回されたコイルとを有する駆動機構を備えており、ガス電磁弁（詳しくはコイル）への通電が終了したときに、このスプリングによる付勢力によってガス電磁弁を閉止するように構成されていることが多い。
【０００５】
なお、ガス電磁弁を閉じる方向に付勢（閉じ付勢）する上記スプリングによる付勢力を小さくすることにより、ガス電磁弁の開弁を電磁的に維持するための電流値を小さくすることが可能になり、省電力となる。
【０００６】
また、家庭用ガス機器に備えるガス電磁弁の開弁を電磁的に維持するために、ガス電磁弁に通電するにあたって、交流電流を用いると、ガス電磁弁の開弁時に唸り音が発生することがあるが、直流電流を用いた場合には、ガス電磁弁の開弁時における唸り音の発生を回避することができる。
【０００７】
そのため、家庭用ガス機器においては、ガス電磁弁の開弁を電磁的に維持するために、直流電流を通電することが広く行われている。
【先行技術文献】
【特許文献】
【０００８】
【特許文献１】特開２０１６−２１７６５１号公報
【発明の概要】
【発明が解決しようとする課題】
【０００９】
しかしながら、ガス電磁弁の開弁を電磁的に維持するために直流電流の通電を行うように構成されたガス器機の場合、制御部による直流電流の通電が終了した後にも、ガス電磁弁に用いられている磁性体の磁気ヒステリシスに起因する残留磁束によって、ガス電磁弁の開弁を維持しようとする力が生じる。
【００１０】
したがって、ガス電磁弁を閉じ付勢するスプリングの付勢力を小さくしすぎると、ガス電磁弁に用いられている磁性体の磁気ヒステリシスに起因する残留磁束によって、制御部による直流電流の通電が終了した後にもガス電磁弁が閉弁せず、ガス電磁弁が開弁を維持してしまうという事態が生じるおそれがある。
【００１１】
そのため、従来のガス電磁弁においては、ガス電磁弁を閉じ付勢するスプリングによる付勢力を小さくすることには限度があり、ガス機器の省電力が制約されるという問題点がある。
【００１２】
言い換えると、ガス電磁弁を閉じ付勢するスプリングによる付勢力を小さくすることができれば、ガス電磁弁の開弁を維持するための直流電流の通電量を減らして省電力を図ることが可能になるが、上述の理由により、ガス電磁弁を閉じ付勢するスプリングによる付勢力を小さくすることができないという問題点がある。
【００１３】
本発明は、上記の課題を解決するものであり、ガス電磁弁を開弁状態に維持するための直流電流の通電量を減らして省電力を実現することが可能で、かつ、制御部による直流電流の通電が終了した後において、ガス電磁弁の開弁が維持されてしまうこと（すなわち、通電が終了した後にもガス電磁弁が閉弁しないこと）を防止することが可能な、ガス機器が備えるガス電磁弁の駆動方法を提供することを目的とする。
【課題を解決するための手段】
【００１４】
上記課題を解決するため、本発明のガス電磁弁の駆動方法は、
被調理物を加熱するガスバーナと、
前記ガスバーナの燃焼開始指令および燃焼停止指令を発令する点消火指令部と、
前記ガスバーナの燃焼を制御する運転制御部と、
前記ガスバーナに供給される燃料ガスの通流と遮断とを制御するガス電磁弁と備え、
前記運転制御部が、前記燃焼開始指令に基づいて前記ガスバーナの燃焼を開始し、かつ、前記燃焼停止指令に基づいて前記ガスバーナの燃焼を停止させる燃焼制御を実行するように構成されたガス調理器における前記ガス電磁弁の駆動方法であって、
前記ガス電磁弁が、該ガス電磁弁を閉じる方向に付勢するスプリングと、磁性体と、前記磁性体に巻回されたコイルとを備える電磁弁駆動機構であって、該ガス電磁弁の開弁状態を維持し、または、開弁状態にある該ガス電磁弁の閉弁を許容する電磁弁駆動機構を具備し、
前記燃焼開始指令に基づいて、前記運転制御部が前記コイルに所定の極性で所定電流値の直流電流を通電することにより、前記スプリングの前記ガス電磁弁を閉じる方向への付勢力に打ち勝って前記ガス電磁弁の開弁を維持し、
前記燃焼停止指令に基づいて、前記運転制御部が前記コイルへの前記直流電流の通電を遮断することにより、前記ガス電磁弁を閉じる方向への前記スプリングの付勢力によって前記ガス電磁弁が閉弁するように構成されているとともに、
前記コイルに前記直流電流を通電することにより前記ガス電磁弁の開弁が維持されている状態において、前記燃焼停止指令が発令されたとき、前記運転制御部が、前記所定の極性とは逆の極性で前記所定電流値より絶対値が小さい遮断前電流を前記コイルに通電した後に、通電を遮断するように構成されていること
を特徴としている。
【００１５】
本発明のガス電磁弁の駆動方法においては、前記遮断前電流の絶対値が、前記ガス電磁弁の開弁を維持するために通電していた前記所定電流値の直流電流による磁気ヒステリシスに起因して生じた前記磁性体における残留磁束を消磁するための保磁力に相当する電流値の絶対値であることが好ましい。
【発明の効果】
【００１６】
本発明のガス電磁弁の駆動方法は、ガス電磁弁の磁性体に巻回されたコイルに直流電流を通電することにより、スプリングのガス電磁弁を閉じる方向への付勢力（閉じ付勢力）に打ち勝ってガス電磁弁の開弁が維持されている状態において、燃焼停止指令が発令されたとき、運転制御部が、所定の極性とは逆の極性で所定電流値より絶対値が小さい遮断前電流をガス電磁弁の上記コイルに通電した後に、通電を遮断するように構成されているので、コイルが巻回されている磁性体の磁気ヒステリシスに起因して生じた残留磁束を小さくすることが可能になる。
【００１７】
その結果、運転制御部による直流電流の通電が終了した後において、磁性体の磁気ヒステリシスに起因する残留磁束により、ガス電磁弁の開弁状態が維持されてしまうことを回避しつつ、ガス電磁弁を閉じる方向に付勢するスプリングによる付勢力を小さくすることが可能になる。すなわち、スプリングによる付勢力を小さくしても、直流電流の通電が終了した後に、ガス電磁弁が開弁状態を維持する（閉弁しない）ことを回避することが可能になる。
【００１８】
また、ガス電磁弁を閉じ付勢するスプリングによる付勢力を小さくすることができるので、ガス電磁弁を開弁状態に維持するために必要な直流電流の通電量を低減することが可能になり、省電力を実現することができる。
【００１９】
また、本発明のガス電磁弁の駆動方法において、遮断前電流の絶対値を、ガス電磁弁の開弁を維持するために通電していた所定電流値の直流電流による磁気ヒステリシスに起因して生じた磁性体における残留磁束を消磁するための保磁力に相当する電流値の絶対値とした場合、電磁弁への通電を遮断する前に、ガス電磁弁の磁気回路（具体的にはコイルが巻回された磁性体）に生じた残留磁束を除去する（消磁する）ことができるので、コイルへの直流電流の通電を遮断した後にも電磁弁が開弁を維持してしまうという事態が生じることを一層確実に回避することが可能になり、本発明をより実効あらしめることができる。
【図面の簡単な説明】
【００２０】
【図１】本発明の一実施形態にかかるガス電磁弁の駆動方法が適用されたガス電磁弁を備えるガスコンロの全体構成を示す斜視図である。
【図２】本発明の一実施形態にかかるガス電磁弁の駆動方法が適用されたガス電磁弁を備えるガスコンロの火力調節部を示す図である。
【図３】本発明の一実施形態にかかるガス電磁弁の駆動方法が適用されたガス電磁弁を備えるガスコンロの構成を示す図である。
【図４】Ｂ−Ｈ曲線（磁気ヒステリシス曲線）を示す図である。
【図５】本発明の一実施形態にかかるガス電磁弁の駆動方法が適用されたガス電磁弁における残留磁束を説明する図である。
【図６】本発明の一実施形態にかかるガス電磁弁の駆動方法が適用されたガス電磁弁が備えるコイルへの通電回路の要部を示す回路図である。
【発明を実施するための形態】
【００２１】
以下、本発明の実施形態を示して、その特徴とするところをさらに詳しく説明する。
【００２２】
［実施形態］
本実施形態では、本発明のガス電磁弁の駆動方法が適用されたガス電磁弁（電磁安全弁）を備えるガスコンロ（以下単に、実施形態のガスコンロともいう）を例にとって説明する。なお、以下に説明するガスコンロは、ガス電磁弁を備えるコンロとグリルとを備えたビルトイン型のガスコンロである。
【００２３】
本実施形態のガスコンロ１は、その天面部を構成するトッププレート１１１
に、図１に示すように、向かって左側に標準火力のコンロバーナ（標準火力バーナ）３１（３１ａ）を、右側に高火力のコンロバーナ（高火力バーナ）３１（３１ｂ）を備えるとともに、グリル１１２を備えている。
トッププレート１１１の上面には、さらに、各コンロバーナ３１（３１ａ，３１ｂ）を中心にして五徳５１が設けられている。
【００２４】
また、ガスコンロ１の前面部１１３には、開閉可能に構成されたグリル扉２８が配設されている。
また、コンロバーナ３１（３１ａ，３１ｂ）は、点火装置７および着火検出部８（図３参照）を備えている。
【００２５】
また。グリル１１２は、ガスコンロ１の本体内の中央部に形成されるグリル庫と、グリル庫内に設けられる加熱手段としてのグリルバーナ２（２ａ、２ｂ、２ｃ）（図３）と、点火装置７および着火検出部８（図３）とを備えており、グリル１１２の前端はガスコンロ１の前面部１１３に開口しており、グリル扉２８によって開閉することができるように構成されている。
【００２６】
なお、コンロバーナ３１およびグリルバーナ２へのガス供給に関する構成は、図３に示すとおりであり、元ガス供給路（主ガス配管）１１に元ガス電磁弁１２が設けられており、元ガス供給路１１は、標準火力バーナ用分岐路１３ａ、高火力バーナ用分岐路１３ｂ、グリルバーナ用分岐路１３ｄに分岐している。
【００２７】
グリル扉２８の両側には、図１に示すように、グリル扉２８とともにガスコンロ１の前面部１１３を構成する前面パネルＰ１、Ｐ２が設けられており、左側の前面パネルＰ１には、左側のコンロバーナ３１ａを点火／消火するための点消火ボタン１４ａが設けられている。
【００２８】
また、右側の前面パネルＰ２には、グリルバーナを点火／消火するための点消火ボタン１４ｃ、右側のコンロバーナ３１ｂを点火／消火するための点消火ボタン１４ｂが設けられている。そして、これら点消火ボタン１４（１４ａ，１４ｂ，１４ｃ）が、加熱の開始／加熱の停止を手動で行うための加熱／停止手動操作部を構成している。
【００２９】
コンロバーナ用点消火ボタン１４ａ、１４ｂを押し操作すると、コンロバーナ用点消火ボタン１４ａ、１４ｂの操作と連動して、手動開閉弁２１（図２）が開くとともに、ガス電磁弁２２（図２）が開き、後述する火力調節部２３を経由して、コンロバーナ３１に燃料ガスが供給される。
【００３０】
なお、図２は、本実施形態にかかるガスコンロ１の火力調節部２３（標準火力バーナ火力調節部２３ａ、高火力バーナ火力調節部２３ｂ）を示す図であり、図２においては、標準火力バーナ火力調節部２３ａ、高火力バーナ火力調節部２３ｂを構成する各部材は、それぞれ同様の機能を果たすものであることから、それぞれを同じ符号で示している。
【００３１】
また、本実施形態では、主として、コンロバーナ３１（３１ａ，３１ｂ）について、その動作（その最大火力および最小火力の変更設定の方法など）を詳しく説明する。なお、グリルバーナ２（２ａ，２ｂ，２ｃ）については、最大火力および最小火力の変更設定を行わないので特に詳しい説明は行わない。ただし、グリルバーナ２（２ａ，２ｂ，２ｃ）については、最大火力および最小火力の変更設定を行うように構成することも可能である。
【００３２】
このガスコンロ１においては、コンロバーナ用点消火ボタン１４（１４ａ、１４ｂ）への押し操作力を解除した後も、手動開閉弁２１の開弁は、図示しないラッチ機構によって保持されるように構成されている。
なお、手動開閉弁２１の開弁状態で、再度コンロバーナ用点消火ボタン１４を押し操作すると、図示しないラッチ機構による手動開閉弁２１の開弁の保持は解除されて、手動開閉弁２１が閉弁する。
【００３３】
また、コンロバーナ用点消火ボタン１４を押し操作すると、運転制御部がガス電磁弁２２（図２参照）への通電を開始し、コンロバーナ用点消火ボタン１４への押し操作力を解除した後も、ガス電磁弁２２の開弁が電磁的に維持される。
なお、手動開閉弁２１の開弁状態で、再度コンロバーナ用点消火ボタン１４を押し操作すると、手動開閉弁２１の開弁の保持は解除されるとともに、運転制御部によるガス電磁弁２２（図２参照）への通電が停止して、ガス電磁弁２２の開弁の電磁的な維持が終了する。
【００３４】
点火装置７は、入力回路（高圧トランスの１次側巻き線を含む）一つに対して出力回路（高圧トランスの２次側巻き線）が各バーナの数だけ備えられ、一つの上記入力回路への通電により各々の上記出力回路（高圧トランスの２次側巻き線）に高電圧が発生し、各バーナの全てに点火用放電のための高電圧が供給されるように構成されている。
【００３５】
着火検出部８は、コンロバーナ３１およびグリルバーナ２ａ，２ｂ，２ｃに設けられる熱電対から構成されており、点火されると火炎の熱により発生する熱起電力が運転制御部に認識される。
【００３６】
そして、運転制御部は、火炎の熱により発生する熱起電力が所定の着火検出用閾値（例えば１．２ｍＶ）以上のときは、ガス電磁弁２２（図２参照）への通電を継続して燃焼を継続するが、火炎の熱により発生する熱起電力が所定の消火検出用閾値（例えば１．０ｍＶ）以下のときは、ガス電磁弁２２（図２参照）への通電を停止して燃焼を停止する。
【００３７】
また、図１に示すように、ガスコンロ１の前面部１１３には、各加熱部（コンロバーナ３１（３１ａ，３１ｂ）およびグリルバーナ２（２ａ，２ｂ，２ｃ））（図３）の加熱量を手動で調節するための加熱量手動操作部となる火力調節レバー（火力調節指令部）１５（１５ａ，１５ｂ，１５ｃ）が、それぞれ各点消火ボタン１４（１４ａ，１４ｂ，１４ｃ）の上に設けられている。
【００３８】
つまり、ガスコンロ１は、調理容器を加熱するコンロバーナ３１（３１ａ，３１ｂ）およびグリルバーナ２（２ａ，２ｂ，２ｃ）と、その火力を調節する火力調節手段と、火力調節指令を指令する火力調節指令手段と、コンロバーナの燃焼開始指令および燃焼停止指令を指令する点消火指令手段と、コンロバーナの燃焼を制御する制御部（運転制御手段）とを備えている。
【００３９】
そして、制御部（運転制御手段）が、点消火指令手段の燃焼開始指令に基づいて、コンロバーナの燃焼を開始し、かつ、燃焼停止指令に基づいて、コンロバーナの燃焼を停止させる燃焼制御を実行するように構成されている。
【００４０】
ガスコンロ１は、火力調節部２３（標準火力バーナ火力調節部２３ａ、高火力バーナ火力調節部２３ｂ）を備えている（図２）。
【００４１】
なお、火力調節部２３としては、種々の構成が採用可能であるが、本明細書においては詳細な説明を省略する。
【００４２】
＜特徴的構成＞
次に、本発明の特徴的構成であるガス電磁弁２２への通電の態様について、説明を加える。
【００４３】
本実施形態にかかるガスコンロ１において、当該ガス電磁弁２２を閉じる方向に付勢するスプリング（図示せず）と、磁性体と、磁性体に巻回されたコイルＬ（図６）とを備えている。
そして、上述のスプリングと、磁性体と、磁性体に巻回されたコイルＬとが、電磁的に、ガス電磁弁２２を開弁状態に維持し、または、開弁状態にあるガス電磁弁２２が閉弁することを許容する電磁弁駆動機構を構成している。
【００４４】
また、ガス電磁弁２２は、ガス電磁弁２２が備えるコイルＬ（図６）に直流電流を通電するための通電回路１００（図６）を備えている。
【００４５】
そして、ガス電磁弁２２は、点消火ボタン１４の操作と連動して手動開閉弁２１（図２）が開くとともに開弁状態となり、その後、コイルＬに直流電流が通電されることにより、上記スプリングによる付勢力に打ち勝って、開弁状態が維持されるように構成されている。
【００４６】
さらに、ガス電磁弁２２への直流電流の通電が終了したときに、スプリングによる付勢力によってガス電磁弁２２が閉止されるように構成されている。
【００４７】
また、ガス電磁弁２２が有する通電回路１００は、図６に示すように構成されており、直流電源１０１と、磁性体（図示せず）の周囲を巻回するように形成されたコイルＬと、４つのダイオードＤ１、Ｄ２、Ｄ３、Ｄ４と、４つのトランジスタＴＲ１、ＴＲ２、ＴＲ３、ＴＲ４とを備えている。
【００４８】
そして、点消火ボタン１４（点消火指令部）から燃焼開始指令が発令されると、その燃焼開始指令に基づいて、運転制御部が、トランジスタＴＲ２およびＴＲ３をＯＦＦ（遮断）した状態で、トランジスタＴＲ１およびＴＲ４をＯＮ（導通）させて、ガス電磁弁２２が備えるコイルＬに所定の極性（ここでは正極性）で、所定電流値（例えば、５ｍＡ）の直流電流を通電することにより、ガス電磁弁２２の開弁が維持されるように構成されている。
【００４９】
また、点消火ボタン１４（点消火指令部）から燃焼停止指令が発令されると、燃焼停止指令に基づいて運転制御部がガス電磁弁２２への直流電流の通電を遮断することで、ガス電磁弁２２が閉弁するように構成されている。
【００５０】
そして、本実施形態にかかるガスコンロにおいては、ガス電磁弁２２のコイルＬ（図６）に所定電流値（例えば、５ｍＡ）の直流電流を通電してガス電磁弁２２の開弁を維持している状態において、燃焼停止指令が発令されたとき、運転制御部がトランジスタＴＲ１およびＴＲ４をＯＦＦ（遮断）し、トランジスタＴＲ２およびＴＲ３をＯＮ（導通）させて、所定の極性つまり正極性とは逆極性で所定電流値（例えば、５ｍＡ）より絶対値が小さい遮断前電流（例えば２．５ｍＡ）を上記コイルＬ（図６）に通電した後に、通電を遮断するように構成されている。
【００５１】
このように、ガス電磁弁２２が備えるコイルＬ（図６）に所定電流値（例えば、５ｍＡ）の直流電流を通電してガス電磁弁２２の開弁を維持している状態において、燃焼停止指令が発令されたとき、運転制御部が、トランジスタＴＲ１およびＴＲ４をＯＦＦ（遮断）し、トランジスタＴＲ２およびＴＲ３をＯＮ（導通）させて、所定の極性つまり正極性とは逆極性で所定電流値（例えば、５ｍＡ）より絶対値が小さい遮断前電流（例えば２．５ｍＡ）をガス電磁弁２２が備えるコイルＬ（図６）に通電した後に、通電を遮断するように構成した場合、コイルＬへの所定電流値（例えば、５ｍＡ）の直流電流の通電により、コイルＬが巻回された磁性体の磁気ヒステリシスに起因する残留磁束を小さくすることが可能になり、直流電流の通電を遮断した後にもガス電磁弁２２の開弁が維持されてしまうという不具合の発生を抑制、防止することができる。
【００５２】
つまり、磁性体に巻回されたコイルＬに十分に大きい直流電流を通電した場合、図４に示すように、磁性体に生じる磁束は、飽和磁束密度Ｃに達する。そして、その場合、磁性体に巻回されたコイルＬに通電していた直流電流を遮断して電流値をゼロにしても、磁性体には残留磁束Ｄが残ることになる。
【００５３】
これに対し、図５に示すように、磁性体に巻回されたコイルＬに正極性の直流電流を通電して、磁性体に生じる磁束が飽和磁束密度Ｃに達した後に、通電した正極性の電流値より絶対値が小さい値の逆極性の直流電流、すなわち、遮断前電流（図５におけるＸ３に相当する電流）を通電した後に直流電流の通電を遮断した場合、磁性体に生じる磁束が、遮断前電流（図５におけるＸ３に相当する電流）の通電により一旦、図５におけるＰ点に達した後、通電が遮断されることになるため、磁性体には、残留磁束ｄが残ることになる。
【００５４】
そして、この残留磁束ｄは、残留磁束Ｄとは極性が異なり、絶対値が残留磁束Ｄの絶対値より小さい値となる。
【００５５】
したがって、上述のように、ガス電磁弁２２が備えるコイルＬへの正極性の通電（例えば５ｍＡ）を遮断する前に、逆極性の遮断前電流（２．５ｍＡ）を通電することで、コイルＬ（図６）への所定電流値（例えば、５ｍＡ）の直流電流の通電によってガス電磁弁２２のコイルＬが巻回された磁性体に生じた残留磁束に基づく吸引力により、直流電流の通電を遮断した後にもガス電磁弁２２の開弁状態が維持されてしまうことを回避することができる。
【００５６】
なお、上記実施形態にかかるガス電磁弁の駆動方法においては、ガス電磁弁２２が備えるコイルＬへの正極性の通電（例えば５ｍＡ）を遮断する前に、逆極性の遮断前電流（２．５ｍＡ）を通電するように構成されているが、遮断前電流の絶対値が、ガス電磁弁２２の開弁を維持するために通電していた所定電流値の直流電流による磁気ヒステリシスに起因して生じた磁性体における残留磁束を消磁するための保磁力（図５におけるＸ２）に相当する電流値の絶対値とすることがさらに好ましい。
【００５７】
上述のように構成した場合、ガス電磁弁２２のコイルＬへの通電を遮断する前に、所定の極性（正極性）で所定電流値（例えば５ｍＡ）の直流電流を通電することによってガス電磁弁２２の磁気回路（具体的にはコイルＬが巻回された磁性体）に生じた残留磁束を、上述の逆極性の遮断前電流（保磁力に相当する電流値の絶対値の電流）によって消磁することができるので、ガス電磁弁２２が開弁を維持してしまうという事態が生じることをさらに確実に回避することが可能になる。
【００５８】
なお、図６の通電回路１００は、コイルＬに直流電流を通電するための通電回路の一例であり、他の構成とすることもできる。
【００５９】
また、本実施形態では、本発明が適用されたガス電磁弁を用いた、コンロとグリルとを備えたビルトイン型のガスコンロを例にとって説明したが、本発明のガス電磁弁の駆動方法は、ガスコンロやガスグリルなどの単能機や、ビルトイン型ではないテーブル型のガス器機など、種々のガス器機が備えるガス電磁弁に適用することが可能である。
【００６０】
本発明は、さらにその他の点においても上記実施形態に限定されるものではなく、本発明の範囲内において種々の変形を加えることが可能である。
【符号の説明】
【００６１】
１          ガスコンロ
２（２ａ，２ｂ，２ｃ）      グリルバーナ
７          点火装置
８          着火検出部（熱電対）
１１        元ガス供給路（主ガス配管）
１２        元ガス電磁弁
１３ａ      標準火力バーナ用分岐路
１３ｂ      高火力バーナ用分岐路
１３ｄ      グリルバーナ用分岐路
１４（１４ａ，１４ｂ，１４ｃ）  点消火ボタン
１５（１５ａ，１５ｂ，１５ｃ）  火力調節レバー（火力調節指令部）
２１        手動開閉弁
２３        火力調節部
２３ａ      標準火力バーナ火力調節部
２３ｂ      高火力バーナ火力調節部
２８        グリル扉
３１        コンロバーナ
３１ａ      標準火力バーナ
３１ｂ      高火力バーナ
５１        五徳
１００      通電回路
１０１      直流電源
１１１      トッププレート
１１２      グリル部
１１３      ガスコンロの前面部
Ｄ１、Ｄ２、Ｄ３、Ｄ４            ダイオード
Ｌ          コイル
ＴＲ１、ＴＲ２、ＴＲ３、ＴＲ４    トランジスタ
Ｐ１、Ｐ２  前面パネル
【図１】
2019113228.tif 000003
【図２】
2019113228.tif 000004
【図３】
2019113228.tif 000005
【図４】
2019113228.tif 000006
【図５】
2019113228.tif 000007
【図６】
2019113228.tif 000008